(57)【要約】      （修正有）【課題】安価で有効な測定装置と携帯情報端末を利用した健康管理システムを提供する。【解決手段】情報サイト５では、安価な測定器に測定値と通信先の情報を埋め込んだ二次元バーコードを表示し、携帯電話３に内蔵されているカメラで二次元バーコードを読み取ることにより自動でネットワークを介してデータセンター４に送信し、データセンターではその数値情報を記憶するとともに必要な処理を行い、容易に健康を管理する。【選択図】図３
2007140775.tif 000002
【特許請求の範囲】
【請求項１】
測定値目盛の数値の近傍に前記数値に対応する情報とデータ送信先に関する情報を埋め込んだバーコードを備えることを特徴とする測定器。
【請求項２】
さらにデータ送信先への登録情報を埋め込んだバーコードと情報提供サイトへの接続情報を埋め込んだバーコードを供えたことを特徴とする請求項１に記載の測定器。
【請求項３】
請求項１又は請求項２に記載の測定器により利用者の健康に関するデータを携帯電話に内臓のカメラにより取り込み、データセンターにて利用者の健康に関するデータを管理することを特徴とする健康管理システム。
【発明の詳細な説明】
【技術分野】
【０００１】
本発明は、目視読み取りの測定器の数値表示部の近傍に表示された二次元バーコードを携帯端末装置で読み込み、前記二次元バーコードに埋め込まれた測定値を携帯端末装置から管理サーバにデータを送信し、ユーザのデータを管理する健康管理システムに関する。
【背景技術】
【０００２】
利用者の健康に関するデータを在宅で測定し、病院などの管理装置にデータを送信し利用者のデータを管理するシステムが提供されている。これらは、利用者宅に健康管理端末装置を設置し、血圧計や血糖計などの測定値で利用者がバイタルデータを測定し、測定結果をケーブル接続や無線接続により健康管理端末装置に取り込み、インターネットや電話回線などの通信手段を介して健康管理端末装置から病院などに設置されているサーバにデータを送信し、そのデータを医師や栄養士がそのデータをみてアドバイスを送り、診察時の参考にするシステムとなっている。
【０００３】
例えば、医療関係者側に置かれる医療側情報処理装置と利用者側に置かれる健康管理支援端末がネットワークによりサーバに接続されており、前記健康管理情報処理端末は、音声合成又は音声データに基づいて音声出力を行う音声出力手段を備えるとともに、利用者のバイタルデータを直接的または間接的に取得し、このバイタルデータを前記サーバに自動送信するように構成されており、前記サーバは前記バイタルデータを利用者ごとに管理してデータを蓄積し、前記医療側情報処理装置からの要求に応じて利用者の健康関連情報を前記医療側情報処理装置に送信するように構成されたシステムが知られている。（特許文献１）
【０００４】
別のシステムでは、利用者が携帯できる携帯端末と、前記携帯端末から送信されたデータを受信し、受信したデータを処理して処理結果を前記携帯端末に返信するためのデータ処理装置を備えている。前記携帯端末装置は前記利用者が携帯しているときの運動量を自動で計測するとともに、前記利用者が自己の健康にかかわる情報を入力するための入力手段を備えている。計測された前記利用者の運動量と入力された自己の健康にかかわる情報に基づいて健康データを作成し、作成された健康データをデータ処理装置に送信し、データ処理装置で前記利用者の健康データの処理を行い、データ処理装置は処理された健康データを携帯端末装置に返信し、携帯端末装置の表示部に処理結果を表示することにより利用者は健康データの分析結果やアドバイスを把握することができるようになっている。（特許文献２）
【０００５】
【特許文献１】特開２００３−１２２８４７
【特許文献２】特開平１０−２９５６５１
【発明の開示】
【発明が解決しようとする課題】
【０００６】
このような健康管理システムにはいくつかの問題がある。
【０００７】
第一に、これらのシステムは、測定装置や健康管理端末装置は測定だけではなくデータ通信機能を有する必要があり、そのために測定装置の価格が高くなり利用者の利用者の金銭的な負担が大きくなる。
【０００８】
第二に、測定装置と健康管理端末装置を接続してデータ送信を行わなければならず、測定を行うまでに測定装置と健康管理端末装置を接続しなければならず大変手間がかかる。仮に、測定装置と健康管理端末装置の間を無線通信により接続したとしても、データ管理やデータ処理を行うためには健康管理端末装置とデータ管理サーバとをインターネットや電話回線などの通信手段を介して接続する必要があり利用者の手間がかかるという問題は解消されるものではない。
【０００９】
これらの問題により、健康管理のために金銭的な負担をしたいとしても手間がかかるために、利用者はこれらの健康管理システムをだんだん利用しなくなり、結局は初期に投資した費用が無駄になってしまうということになっていた。本発明は、これらの問題を解消するために安価で有効な健康管理用の測定器と健康管理システムを提唱することを目的とする。
【課題を解決するための手段】
【００１０】
安価な目視で測定結果を読み取る測定器において、測定結果の数値の横に測定値とデータ送信先の情報を埋め込んだバーコードを表示する。そのバーコードを携帯電話のカメラで読み取ることにより、携帯電話よりデータ送信先に測定値を送信する。データ送信先では携帯電話の番号により送信者を特定するとともに、測定値を送信者情報と関連付けて記憶する。
【発明を実施するための最良の形態】
【００１１】
図1は本発明に用いられるメジャーの図であり、図2は本発明に用いられる体重計の表示部の図である。図３は本発明の健康管理システムの構成である。図1に示すメジャーには、スタート用二次元バーコード１１、情報サイト接続用二次元バーコード１２、および距離目盛１４とそれに対応する数値二次元バーコード１３が印刷されている。距離目盛１４の数値の下部にその数値に対応する情報とデータセンター４の電話番号情報を埋め込んだ二次元バーコードが印刷されている。この場合は長さであるので例えば８６ｃｍと単位も情報として埋め込まれている。
【００１２】
体重計２も図2に示すように、スタート用二次元バーコード２１、情報サイト接続用二次元バーコード２２、および体重を示す数値２４の下部に、その数値に対応する情報とデータセンター４の電話番号情報を埋め込んだ二次元バーコード２３が印刷されている。この場合は重さであるので例えば７２ｋｇと単位も情報として埋め込まれている。
【００１３】
ウェストサイズの測定を例に本発明の実施の形態を説明する。利用開始に際して、利用者は、まず、スタート用二次元バーコード１１を所有する計帯電話３に内蔵されたカメラで撮影する。スタート用二次元バーコード１１には接続先であるデータ管理サーバに接続するための電話番号と、前記計帯電話３の製造番号を前記データ管理サーバに登録するためのプログラムを起動するためのコードが埋め込まれている。利用者がスタート用二次元バーコード１１を撮影すると、前記計帯電話３は前記データ管理サーバに接続し、前記計帯電話３の製造番号を前記データ管理サーバに登録する。以後、データ管理サーバに前記計帯電話３から接続されたときには計帯電話３の製造番号により利用者の特定を行う。
【００１４】
次に日常の使用について説明する。前記利用者は、前記メジャー１でウェストのサイズを測定し、その数値に対応するバーコード１３を計帯電話３に内蔵されているカメラで撮影する。前記計帯電話３は前記二次元バーコード１３に埋め込まれている前記データセンター４の電話番号を認識し、前記データセンター４に接続し前記バーコード１３に埋め込まれている数値データを送信する。前記データセンター４では前記計帯電話３からの通信を受けると、前記計帯電話３の製造番号により利用者を特定し、前記データセンター４のデータベースの前記利用者のデータベースに受信日時情報とともに数値情報を記憶する。このときに数値情報に付属している単位ｃｍにより、この情報がウェストの情報であることを認識してウェスト情報として数値を記憶する。
【００１５】
データの登録が完了すると、前記計帯電話３の画面は図４に示すデータ閲覧画面に移行する。データ閲覧画面では過去の一定期間の入力データがグラフで表示される。データ表示期間は利用者が設定することも可能であるが通常は1年分に設定されている。前記グラフは横軸が期間、縦軸がウェストサイズとなっており、縦軸の８５ｃｍに青色のラインが、９０ｃｍに赤色のラインが入っている。これはメタボリックシンドロームの基準とされているウェストサイズである、男性８５ｃｍ、女性９０ｃｍと利用者のウェストサイズを簡単に比較できるようにするためである。
【００１６】
データ管理サーバは入力された利用者のウェストサイズが基準値を超えた場合には警告を表示するようになっている。メタボリックシンドロームの基準とされているサイズを超えたデータは色を変えて表示したり、点滅して表示するようにして利用者に注意を促すようになっている。基準値を超えた状態が続くようであればデータ表示画面になったときに警告文をグラフとともに表示するようにすることもできる。
【００１７】
データ閲覧画面からは、さらに、体重、運動、血圧などのデータを管理するための入力画面や情報サイト画面に移行することもできるようになっている。グラフ表示している計帯電話３の画面を下方にスクロールすると図４に示すように、「他のデータ入力」「情報サイト」というラインに移動する。「他のデータ入力」をクリックすると図５に示すデータ入力画面に移行する。この画面で入力日の運動の状態や体重、血圧の値を手入力することができる。運動の状態はプルダウンメニューで、その日の状況を「強い」「普通」「弱い」の中から選択し入力する。体重や血圧の値は項目に移動して数値を入力するようになっている。
【００１８】
体重は手入力に限らず、図２に示す体重計２による自動入力も可能である。利用者は前記体重計２で体重を測定し、表示窓に現れた体重の値に対応する二次元バーコード２３を前記携帯電話３に内蔵されたカメラで撮影する。前記携帯電話３では、二次元バーコード２３に埋め込まれた前記データセンター４の電話番号を認識し、前記データセンター４に接続し前記二次元バーコード２３に埋め込まれている数値データを送信する。前記データセンター４では前記携帯電話からの通信を受けると、前記携帯電話の製造番号により利用者を特定し、前記データセンター４のデータベースの前記利用者のデータベースに受信日時情報とともに数値情報を記憶する。このときに数値情報に付属している単位ｋｇにより、この情報が体重の情報であることを認識して体重情報として数値を記憶する。
【００１９】
前記メジャーの情報サイト接続用二次元バーコード１２には情報サイト５のＵＲＬが埋め込まれている。情報サイトとしては、メタボリックシンドロームについて解説してある情報サイトや、糖尿病や高血圧などの専門医を紹介する医療機関リスト、夜間救急医療機関リスト、フィットネスクラブ情報、健康食品や健康器具の通信販売サイトなどがある。
【００２０】
本発明によると安価な測定器と利用者が所有している携帯電話により容易に日常の健康管理が可能になり、かつ、健康管理に有用な情報を入手することが可能になる。
【図面の簡単な説明】
【００２１】
【図１】本発明に係るメジャーである。
【図２】本発明に係る体重計である。
【図３】本発明のシステム構成である。
【図４】データ閲覧画面である。
【図５】データ入力画面である。
【符号の説明】
【００２２】
１          メジャー
１１        スタート用二次元バーコード
１２        情報サイト接続用二次元バーコード
１３        数値に対応する二次元バーコード
１４        数値
２          体重計
２１        スタート用二次元バーコード
２２        情報サイト接続用二次元バーコード
２３        数値に対応する二次元バーコード
２４        数値
３          携帯電話
４          データセンター
５          情報サイト
【図１】
2007140775.tif 000003
【図２】
2007140775.tif 000004
【図３】
2007140775.tif 000005
【図４】
2007140775.tif 000006
【図５】
2007140775.tif 000007